(57)【要約】 【課題】隣合う壁板材同士の表裏方向及び短手方向における相互の位置決めを同時に正確に行うことが可能な壁板材の連結構造、及びその連結構造に用いる壁板材を提供する。【解決手段】互いに隣接する壁板材１において、壁板材の短手方向の第１端部４に設けられた雄型嵌合部６と、第２端部５に設けられた雌型嵌合部７とが互いに嵌合され、雄型嵌合部における壁板材の裏面３と直角を成した当接面１４が、雌型嵌合部における同じく壁板材の裏面と直角を成した被当接面２０に対して当接すると同時に、雄型嵌合部における肩面１３及び凸部１５の裏側面１５ｂが、雌型嵌合部における折返し面１９及び凹部２１の裏内壁面２１ｂに対してそれぞれ当接している。【選択図】図５
2020105834.tif 000002
【特許請求の範囲】
【請求項１】
表面としての第１面及び裏面としての第２面を有する長方形の板状に形成され、その短手方向の両端に第１端及び第２端を有しており、前記第１端部に雄型嵌合部が設けられ、前記第２端部に雌型嵌合部が設けられた壁板材の連結構造であって、
前記壁板材の連結は、前記短手方向に隣接する壁板材同士の雄型嵌合部と雌型嵌合部とが相互に嵌合されることで行われており、
前記雄型嵌合部は、前記第１面に形成された肩面と、前記肩面の前記第１端側に前記第２面と直角を成して連結された当接面と、前記当接面の第２面側に連結され、前記第１端側に突設された凸部とを有し、前記凸部は、第１面側の表側面と第２面側の裏側面とを有し、
前記雌型嵌合部は、前記第１面の表面を形成する化粧面と、前記化粧面の前記第２端側に連なって前記第２面側に延びる先端面と、前記先端面の第２面側に連って前記第１端側に延びる折返し面と、前記折返し面の前記第１端側に第２面と直角を成して連結された被当接面と、前記被当接面の第２面側に連結され、前記第１端側に向けて凹設された凹部とを有していて、前記凹部に前記凸部が嵌合されており、
また、前記凹部は、前記第１面側に配された表内壁面、前記第２面側に配された裏内壁面、及びこれら表内壁面と裏内壁面とを連結する底壁面を有し、
前記当接面と被当接面とが当接されると同時に、前記肩面と折返し面とが当接され、且つ、前記凸部の裏側面と凹部の裏内壁面とが当接されており、それにより、互いに隣接する壁板材同士が、それらの表裏方向及び短手方向において、相互に位置決めされていることを特徴とする壁板材の連結構造。
【請求項２】
請求項１に記載の壁板材の連結構造において、
前記当接面及び被当接面の表裏方向の長さは、表裏方向における前記化粧面と折返し面との間の長さよりも長いことを特徴とする壁板材の連結構造。
【請求項３】
請求項２に記載の壁板材の連結構造において、
前記当接面及び被当接面の表裏方向長さは、前記壁板材の表裏方向における最大厚さの５パーセント以上であることを特徴とする壁板材の連結構造。
【請求項４】
請求項１−３の何れかに記載の壁板材の連結構造において、
前記折返し面の短手方向長さは、前記化粧面と折返し面との間の長さの１倍−５倍の範囲内であることを特徴とする壁板材の連結構造。
【請求項５】
請求項１−４の何れかに記載の壁板材の連結構造において、
前記第２面は、建物の壁下地に当接された平らな下地当接面を有し、前記折返し面及び肩面が、この下地当接面と平行であることを特徴とする壁板材の連結構造。
【請求項６】
請求項５に記載の壁板材の連結構造において、
前記凹部の表内壁面及び裏内壁面は、前記第２面の下地当接面と平行に延びており、
前記凸部は、前記表側面及び裏側面が該凸部の先端に向かうに従い互いに近づくように先細り形状に形成されていて、前記凸部の裏側面の基端部と前記凹部の裏内壁面とが相互に当接していることを特徴とする壁板材の連結構造。
【請求項７】
請求項１−６の何れかに記載の壁板材の連結構造において、
前記雄型嵌合部の肩面、及び、前記雌型嵌合部の折返し面は互いに平行に延びる平面で構成されていて、これら肩面と折返し面とが当接されている、
ことを特徴とする壁板材の連結構造。
【請求項８】
請求項１−７の何れかに記載の壁板材の連結構造において、
前記当接面から前記凸部の先端までの長さは、前記被当接面から前記凹部の底壁面までの長さよりも短く、前記凸部の先端が、凹部の底壁面に非接触であることを特徴とする壁板材の連結構造。
【請求項９】
請求項１−８の何れかに記載の壁板材の連結構造において、
前記第１面に、長手方向に延びる凸模様と凹模様とが前記短手方向に交互に形成されていることを特徴とする壁板材の連結構造。
【請求項１０】
請求項１−９の何れかに記載の連結構造に用いられる壁板材。
【発明の詳細な説明】
【技術分野】
【０００１】
本発明は、建築物の外壁面における互いに隣接する壁板材の連結構造、及びその連結構造に用いられる壁板材に関するものである。
【背景技術】
【０００２】
従来から建物の外壁面を構成するものとして壁板材が広く用いられている。
この種の壁板材としては、例えば、特許文献１に示すものがある。前記特許文献１に記載の壁板材は、表裏面を有する長方形の板状に形成されていて、その短手方向の一端部に雄型嵌合部が設けられると共に他端部に雌型嵌合部が設けられており、互いに隣接する壁板材の前記雄型嵌合部と雌型嵌合部とを相互に嵌合することで、前記壁板材同士が連結され、建物の壁下地に沿って外壁面が施工される。
【０００３】
図６は、前記のような雄型嵌合部と雌型嵌合部とを有する壁板材同士の連結構造を示す拡大図である。
図６に示す壁板材３０は、その表面３２に、長手方向に延びる凸模様３４及び凹模様３３が前記短手方向に交互に設けられている。また、前記壁板材３０の雄型嵌合部３１は、前記凹模様３３の底面３３ａと同形状をした凹模様形成面３５と、この凹模様形成面３５から壁板材３０の裏面３６側に向けて傾斜して延びる段差面３７と、前記段差面３７から前記裏面３６と平行に延びる肩面３８と、前記肩面３８に連なって前記短手方向に突設された凸部３９とを有している。
【０００４】
一方、前記雌型嵌合部４１は、前記凸模様３４の頂面を形成する化粧面３４ａと、化粧面３４ａから前記裏面３６側に向けて延びる先端面４３と、先端面４３に連なって前記短手方向に凹設された凹部４４とを有している。
【０００５】
そして、前記壁板材３０を用いて外壁面を施工する場合、壁板材３０を前記短手方向に並べ、隣接する壁板材３０，３０における雄型嵌合部３１の凸部３９と雌型嵌合部４１の凹部４４とを嵌合させる。
このとき、前記段差面３７に先端面４３が当接し、また、前記肩面３８と、凹部４４の表内壁面４４ａとが当接すると共に、前記凸部３９における前記裏面３６側に配された側面３９ａと、前記凹部４４における前記裏面３６側に配された裏内壁面４４ｂの開口部４５とが当接する。それにより、前記先端面４３と前記凹模様形成面３５とで凹模様が形成され、隣合う壁板材３０，３０の連結部分における連続性（例えば、凹凸模様の連続性等）が確保されるようになっている。
【０００６】
しかしながら、このような壁板材の従来の連結構造においては、前記段差面３７が傾斜面によって形成されているため、施工時に該先端面４３が段差面３７に沿って表面３２側にずれ易い。そして、そのようなずれが生じてしまうと、隣合う壁板材同士の短手方向及び表裏方向における相互の位置決めを正確に行うことができないため、施工した壁板材の短手方向の働き幅に誤差が生じるばかりでなく、隣合う壁板材３０の連結部分における連続性を確保することができなくなり、その結果、壁板材３０を施工した壁面の美観が損なわれるという問題があった。
【先行技術文献】
【特許文献】
【０００７】
【特許文献１】意匠登録第１２７５３６６号公報
【発明の概要】
【発明が解決しようとする課題】
【０００８】
本発明の課題は、隣合う壁板材同士の表裏方向及び短手方向における相互の位置決めを同時に正確に行うことが可能な壁板材の連結構造、及びその連結構造に用いる壁板材を提供することにある。
【課題を解決するための手段】
【０００９】
前記課題を解決するため、本発明によれば、表面としての第１面及び裏面としての第２面を有する長方形の板状に形成され、その短手方向の両端に第１端及び第２端を有しており、前記第１端部に雄型嵌合部が設けられ、前記第２端部に雌型嵌合部が設けられた壁板材の連結構造であって、前記壁板材の連結は、前記短手方向に隣接する壁板材同士の雄型嵌合部と雌型嵌合部とが相互に嵌合されることで行われており、前記雄型嵌合部は、前記第１面に形成された肩面と、前記肩面の前記第１端側に前記第２面と直角を成して連結された当接面と、前記当接面の第２面側に連結され、前記第１端側に突設された凸部とを有し、前記凸部は、第１面側の表側面と第２面側の裏側面とを有し、前記雌型嵌合部は、前記第１面の表面を形成する化粧面と、前記化粧面の前記第２端側に連なって前記第２面側に延びる先端面と、前記先端面の第２面側に連って前記第１端側に延びる折返し面と、前記折返し面の前記第１端側に第２面と直角を成して連結された被当接面と、前記被当接面の第２面側に連結され、前記第１端側に向けて凹設された凹部とを有していて、前記凹部に前記凸部が嵌合されており、また、前記凹部は、前記第１面側に配された表内壁面、前記第２面側に配された裏内壁面、及びこれら表内壁面と裏内壁面とを連結する底壁面を有し、前記当接面と被当接面とが当接されると同時に、前記肩面と折返し面とが当接され、且つ、前記凸部の裏側面と凹部の裏内壁面とが当接されており、それにより、互いに隣接する壁板材同士が、それらの表裏方向及び短手方向において、相互に位置決めされていることを特徴とする壁板材の連結構造が提供される。
【００１０】
本発明に係る前記壁板材の連結構造においては、前記当接面及び被当接面の表裏方向の長さは、表裏方向における前記化粧面と折返し面との間の長さよりも長くても良く、好ましくは、前記壁板材の表裏方向における最大厚さの５パーセント以上である。
また、前記折返し面の短手方向長さは、前記化粧面と折返し面との間の長さの１倍−５倍の範囲内であってもよい。
【００１１】
前記第２面は、建物の壁下地に当接された平らな下地当接面を有し、前記折返し面及び肩面が、この下地当接面と平行であってもよい。
また、前記凹部の表内壁面及び裏内壁面は、前記第２面の下地当接面と平行に延びており、前記凸部は、前記表側面及び裏側面が該凸部の先端に向かうに従い互いに近づくように先細り形状に形成されていて、前記凸部の裏側面の基端部と前記凹部の裏内壁面とが相互に当接していてもよい。
【００１２】
前記雄型嵌合部の肩面、及び、前記雌型嵌合部の折返し面は互いに平行に延びる平面で構成されていて、これら肩面と折返し面とが当接されていてもよい。
【００１３】
前記当接面から前記凸部の先端までの長さは、前記被当接面から前記凹部の底壁面までの長さよりも短く、前記凸部の先端が、凹部の底壁面に非接触であっても良い。
また、前記第１面に、長手方向に延びる凸模様と凹模様とが前記短手方向に交互に形成されていることでも良い。
【００１４】
さらに、本発明によれば、前記壁板材の連結構造に用いられる前記壁板材が提供される。
【発明の効果】
【００１５】
本発明によれば、雄型嵌合部の当接面及び雌型嵌合部の被当接面が共に壁板材の裏面と直角を成していて、互いに隣接する壁板材同士の雄型嵌合部と雌型嵌合部とが相互に嵌合された状態で、当接面と被当接面とが当接されると同時に、雄型嵌合部における肩面及び凸部の裏側面が、雌型嵌合部における折返し面及び凹部の裏内壁面に対してそれぞれ当接されているため、隣合う壁板材同士の表裏方向及び短手方向における相互の位置決めを同時に正確に行うことができる。また、表裏方向において、前記当接面が被当接面に当接する部分を、前記肩面が折返し面に当接する部分と、前記凸部の裏側面が凹部の裏内壁面に当接する部分との間に配したため、表裏方向及び短手方向の双方に対して、より安定した位置決めを実現することができる。したがって、壁板材の短手方向に関して正確な働き幅を確保することができるばかりでなく、隣合う壁板材同士の連結部分における連続性（例えば、凹凸模様の連続性等）をも確保することができ、その結果、壁板材を施工した壁面の美観の向上を図ることができる。
【図面の簡単な説明】
【００１６】
【図１】本発明に係る壁板材を示す正面図である。
【図２】図１の側面図である。
【図３】前記壁板材の雄型嵌合部を示す拡大図である。
【図４】前記壁板材の雌型嵌合部を示す拡大図である。
【図５】本発明の壁板材の連結状態を示す拡大図である。
【図６】従来の壁板材の連結状態を示す拡大図である。
【発明を実施するための形態】
【００１７】
本発明に係る壁板材及びその壁板材の連結構造について、図１−図５を用いて説明する。
図１及び図２に示すように、前記壁板材１は、短手方向及び長手方向とを有する長方形の板状に形成されていて、表面としての第１面２及び裏面としての第２面３を有し、前記短手方向の両端に第１端及び第２端を有している。そして、前記壁板材１の第１端部４に雄型嵌合部６が設けられ、第２端部５に雌型嵌合部７が設けられている。前記壁板材１の第１面２には、前記長手方向に延びる凸模様８と凹模様９とが前記短手方向に交互に形成されている。前記凸模様８は、平らな頂面を有している。また、前記凹模様９は、その底面９ａの中央部が最も深く凹んだ略Ｖ字形の断面形状を有している。ただし、凸模様８の頂面及び凹模様９の底面の形状は、前記形態に必ずしも限定されるものではなく、壁板材１のデザインに応じて適宜の形状を採用することができる。
【００１８】
また、前記壁板材１は、第１面２、雄型嵌合部６及び雌型嵌合部７が薄い鋼板により一体成型されている。そして、前記第２面３は、例えば、防水処理や難燃処理が施されたシート状の裏面材から成り、短手方向長さの大部分が、建物の壁下地に固定される平らな下地当接面１０として形成されている。前記第１面２と前記第２面３との間には、ポリウレタン等の合成発泡樹脂から成る芯材１１が充填されている。なお、前記壁板材１は、その第１面２の短手方向に３８１ｍｍ程度の働き幅を有している。
【００１９】
図３に示すように、前記雄型嵌合部６は、前記第１面２において前記凹模様９の底面９ａを形成する凹模様形成面１２と、その凹模様形成面１２の前記第１端側に連なって第１面２に沿うように直線状に延びる平面から成る肩面１３と、その肩面１３の前記第１端側に連結され、前記第２面３と直角を成して延びる平面から成る当接面１４と、その当接面１４の第２面３側に連結され、前記第１端側に突設された凸部１５とを有している。前記肩面１３は、前記凹模様形成面１２に隣接する凸模様８の頂面よりも表裏方向において第２面３側に位置しており、且つ、前記第２面３を構成する下地当接面１０と平行を成している。ここで、本実施形態においては、前記凹模様形成面１２が他の凹模様９の底面９ａと同形状に形成されているが、必ずしもその必要性はなく、壁板材１同士の連結部分において凹凸模様８，９の連続性を確保できる形状を有していれば良い。
【００２０】
前記凸部１５は、前記第１面２側に配された表側面１５ａと、第２面３側に配された裏側面１５ｂとを有しており、該凸部１５は、これら表側面１５ａと裏側面１５ｂとが先端に向かうに従って互いに近づくように先細り形状（楔形状）を成している。
【００２１】
さらに、前記雄型嵌合部６は、前記凸部１５の裏側面１５ｂにおける前記第２端側の基端に連結され、第２面３と直角を成して延びる延設面１６と、その延設面１６の第２面３側に連結されて折り返され、第２面３に沿うように前記第１端側に延びる固定片１７とを有している。前記固定片１７は、釘やねじ等の固定具を該固定片１７に打ちこんで、前記壁板材１を建物の壁下地に固定するための部分であり、前記凸部１５の先端よりもさらに第１端側に突出し、壁板材１の連結時、隣接する壁板材１の第２面３側に配されるように構成されている。また、前記固定片１７の先端部１７ａは、第２端側に向けてＵ字状に折り返されている。
【００２２】
図４に示すように、前記雌型嵌合部７は、前記第１面２において凸模様８の頂面（即ち、第１面２の表面）を形成する化粧面８ａと、前記化粧面８ａの前記第２端側に連なって前記第２面３側に向けて延びる先端面１８と、前記先端面１８の第２面３側に連なって前記第１端側に向けて直線状に延びる平面から成る折返し面１９と、前記折返し面１９の前記第１端側に連結され、前記第２面３と直角を成して延びる平面から成る被当接面２０と、前記被当接面２０の第２面３側に連結され、前記第１端側に向けて凹設された凹部２１とを有している。前記折返し面１９と前記雄型嵌合部６の肩面１３とは互いに平行を成している。
【００２３】
本実施形態において、前記雄型嵌合部６における当接面１４の表裏方向長さＬ１、及び、雌型嵌合部７における被当接面２０の表裏方向長さＬ２は、前記表裏方向における化粧面８ａと折返し面１９との間の距離Ｌ３よりも長く、好ましくは、前記壁板材１の表裏方向における最大厚さＴｍａｘの５パーセント以上である。本実施形態において最大厚さＴｍａｘとは、前記第１面２を構成する凸模様８の頂面と、前記第２面３を構成する下地当接面１０との間の最大幅のことである。
【００２４】
また、前記折返し面１９は、前記第２面３を構成する下地当接面１０と平行を成して形成されている。この折返し面１９は、後述する壁板材１の連結時において、雄型嵌合部６における前記肩面１３に当接する部分であり、該折返し面１９の短手方向長さＬ４が短すぎると、肩面１３に対して安定的に当接させることができなくなってしまい、これとは逆に、折返し面１９の短手方向長さＬ４を長くし過ぎると、前記化粧面８ａと先端面１８と折返し面１９とで囲まれた部分の内部空間に前記芯材１１を充填する際、該内部空間の隅々まで隙間なく充填するのが難くなってしまう。これを回避するため、前記折返し面１９の短手方向長さＬ４は、前記化粧面８ａと該折返し面１９との間の長さＬ３の１倍−５倍の範囲内であると好ましく、２倍−３．５倍の範囲内であるとより好ましい。
【００２５】
前記凹部２１は、前記第１面２側に配された表内壁面２１ａと、この表内壁面２１ａと対向配置された第２面３側の裏内壁面２１ｂと、これら表内壁面２１ａと裏内壁面２１ｂとを連結する底壁面２１ｃとを有している。前記表内壁面２１ａと裏内壁面２１ｂとは、前記第２面３を構成する下地当接面１０と平行に延びており、前記底壁面２１ｃは、前記第２面３と直角を成している。
【００２６】
さらに、前記雌型嵌合部７は、前記凹部２１の裏内壁面２１ｂにおける前記第２端側の開口端に連なって、前記第２面３側に向けて延びる突面２２と、前記突面２２の第２面３側に連なって折り返され、第２面３に沿うように前記第１端側に向けて延びる背面２３とを有している。このとき、前記突面２２は、第２端側に凸を成す曲面形状に形成されており、その先端が、前記短手方向において、前記被当接面２０よりも少し前記第２端側に位置している。
【００２７】
建物の外壁において前記壁板材１を施工するにあたっては、図５に示すように、前記壁板材１を前記短手方向に複数並べて、前記短手方向に隣接する壁板材１，１のうち、一方の壁板材１における前記雄型嵌合部６の固定片１７に固定具（図示略）を打ちこんで該壁板材１を壁下地に固定する。そして、その固定した一方の壁板材１における雄型嵌合部６の凸部１５と、他方の壁板材１における雌型嵌合部７の凹部２１とを嵌合させる。
【００２８】
前記嵌合状態では、雄型嵌合部６における前記第２面３と直角を成した平面から成る当接面１４が、雌型嵌合部７における同じく前記第２面と直角を成した平面から成る被当接面２０に対して面で当接すると同時に、雄型嵌合部６における平面から成る肩面１３と雌型嵌合部７における平面から成る折返し面１９とが面で当接され、前記凸部１５の裏側面１５ｂの基端部と前記凹部２１の裏内壁面２１ｂとが線状に当接されている。また、前記雄型嵌合部６の前記延設面１６は、雌型嵌合部７の突面２２よりも前記第２端側に配されていて、この突面２２と非接触となっている。また、前記当接面１４から前記凸部１５の先端までの長さは、前記被当接面２０から前記凹部２１の底壁面２１ｃまでの長さよりも短く形成されていて、前記凸部１５の先端が前記凹部２１の底壁面２１ｃに非接触となっている。このように、前記壁板材１においては、該壁板材１の連結時、前記当接面１４と前記被当接面２０との当接箇所と、前記肩面１３と前記折返し面１９との当接箇所と、前記裏側面１５ｂと前記裏内壁面２１ｂとの３つの当接箇所が確実に当接するように構成されている。
【００２９】
そして、このような壁板材の連結構造によれば、隣合う壁板材１同士の表裏方向及び短手方向における相互の位置決めを同時に正確に行うことができる。具体的には、壁板材１の短手方向においては、共に前記第２面３と直角を成した当接面１４と被当接面２０との当接により、雌型嵌合部７の先端面１８が雄型嵌合部６の凹模様形成面１２に対して正確に位置決めされる。また、壁板材１の表裏方向においては、雄型嵌合部６における肩面１３及び凸部１５の裏側面１５ｂと、雌型嵌合部７における折返し面１９及び凹部２１の裏内壁面２１ｂとが、前述した短手方向に対する位置決めにより、前記凸部１５と凹部２１との嵌合部分を挟んだ正確な位置で相互に当接され、それにより、前記雌型嵌合部７の化粧面８ａが（例えば、他の凸模様８の頂面に対して）正確に位置決めされる。このとき、前述したように、前記当接面１４及び被当接面２０における各々の表裏方向長さＬ１，Ｌ２が、前記壁板材１の表裏方向における前記最大厚さＴｍａｘの５パーセント以上に形成されているので、壁板材１の位置決めの際、前記肩面１３と折返し面１９との当接と、前記凸部１５の裏側面１５ｂと前記凹部２１の裏内壁面２１ｂとの当接とが容易に行われる。
【００３０】
また、表裏方向において、前記当接面１４が被当接面２０に当接する部分を、前記肩面１３が折返し面１９に当接する部分と、前記凸部１５の裏側面１５ｂが凹部２１の裏内壁面２１ｂに当接する部分との間に配したため、表裏方向及び短手方向の双方に対して、より安定した位置決めを実現することができる。
したがって、壁板材１を施工した状態において、その壁板材１の短手方向に関して正確な働き幅を確保することができるばかりでなく、隣合う壁板材１同士の連結部分における連続性（例えば、凹凸模様８，９の連続性等）をも確保することができ、それにより、壁板材１を施工した外壁面の美観の向上を図ることができる。
【００３１】
以上、本発明に係る壁板材の連結構造及びその連結構造に用いる壁板材について説明してきたが、本発明は前記の実施形態に限定されることなく、特許請求の範囲の趣旨を逸脱しない範囲で様々な設計変更が可能であることは言うまでもない。
例えば、前記実施形態では、前記第１面２に、長手方向に延びる凸模様８と凹模様９とが短手方向に交互に形成されているが、このような凹凸模様に限らず、木目調やしっくい調等からなるデザインが施されていてもよく、或いは、無地であってもよい。
【符号の説明】
【００３２】
１    壁板材
２    第１面（壁板材の表面）
３    第２面（壁板材の裏面）
４    第１端部（壁板材の短手方向の一端部）
５    第２端部（壁板材の短手方向の他端部）
６    雄型嵌合部
７    雌型嵌合部
８    凸模様
８ａ    化粧面
９    凹模様
１０    下地当接面
１３    肩面
１４    当接面
１５    凸部
１５ａ    表側面
１５ｂ    裏側面
１８    先端面
１９    折返し面
２０    被当接面
２１    凹部
２１ａ    表内壁面
２１ｂ    裏内壁面
２１ｃ    底壁面
２２    突面
２３    背面  
Ｌ１    当接面の表裏方向長さ
Ｌ２    被当接面の表裏方向長さ
Ｌ３    化粧面及び折返し面間の長さ
Ｌ４    折返し面の短手方向長さ
Ｔｍａｘ    最大厚さ
【図１】
2020105834.tif 000003
【図２】
2020105834.tif 000004
【図３】
2020105834.tif 000005
【図４】
2020105834.tif 000006
【図５】
2020105834.tif 000007
【図６】
2020105834.tif 000008